(57)【要約】      （修正有）【課題】保管性、耐衝撃性、耐水性及び携行性に優れ、使用時に容易に冷却状態を発揮・維持する冷却具を提供する。【解決手段】可撓性プラスチック容器１内に、混合すると吸熱反応をする２種以上の物質を、破割しやすい隔膜４により、それぞれ別個に分離収納してなり、用時に隔膜４を破断することにより分離収納した物質が混合して混合吸熱反応を生じせしめるよう構成した冷却具であり、具体的には、混合して吸熱反応する物質が、硝酸アンモニウム２および水３である。【選択図】図１
0003220581.tif 000002
【実用新案登録請求の範囲】
【請求項１】
可撓性プラスチック容器内に、混合すると吸熱反応をする２種以上の物質を、破割しやすい隔膜により、それぞれ別個に分離収納してなり、用時に隔膜を破断することにより分離収納した物質が混合して混合吸熱反応を生じせしめるよう構成したことを特徴とする冷却具。
【請求項２】
前記可撓性プラスチック容器が、円形の縦長形状である請求項１に記載の冷却具。
【請求項３】
前記可撓性プラスチック容器を、用時にサークル形状に構成する請求項２に記載の冷却具。
【請求項４】
前記可撓性プラスチック容器が、サイクルブレスレット形状である請求項１に記載の冷却具。
【請求項５】
前記可撓性プラスチック容器の留置部位に接する部分を、プラスチックより熱伝導性の高い素材に置き換えてなる請求項１に記載の冷却具。
【請求項６】
混合して吸熱反応する物質が、硝酸アンモニウムおよび水を含む請求項１〜５に記載の冷却具。
【請求項７】
硝酸アンモニウムが、粉末状または粒状の硝酸アンモニウムである請求項６に記載の冷却具。
【請求項８】
水が、吸水性樹脂に水を吸水させてゲル化したゲル状物として存在するものである請求項６に記載の冷却具。
【考案の詳細な説明】
【技術分野】
【０００１】
本考案は冷却具に係り、詳細には、保管性、耐衝撃性、耐水性及び携行性に優れ、使用時に容易に冷却状態を発揮・維持する冷却具に関する。
【背景技術】
【０００２】
従来から２以上の物質を混合して吸熱反応を起こさせ、その吸熱作用による冷却効果を発揮させる冷却具が提案されている。
すなわち、２以上の物質を混合して低温度を得る冷却剤は寒剤と呼ばれており、例えば、氷と食塩の組み合わせ、硝酸ナトリウムや無機アンモニウム塩（例えば硝酸アンモニウムや塩化アンモニウム等）、尿素等の固形塩類と水の組み合わせ、固体炭酸と有機溶媒の組み合わせ等はよく知られており、これらは混合溶解の際に周囲から熱を吸収する吸熱反応であるため、周囲を冷却することができ、この寒剤を利用した冷却具が提案されている（特許文献１、２）。
【０００３】
この種の冷却具は、吸熱反応を生じる複数の寒剤を構成する、例えばＡ剤とＢ剤を袋内に分離して収納し、用時に混合接触反応を生じさせるよう構成した構造を有する器具である（特許文献３）。
【先行技術文献】
【特許文献】
【０００４】
【特許文献１】特開平１−３１９５８３号公報
【特許文献２】特開平２−０９８３５８号公報
【特許文献３】特開平６−１７４３５０号公報
【０００５】
しかしながら、これらの冷却具は、複数の寒剤を袋内に分離して収納されているため、保存時、或いは持ち運び時に袋に圧力がかかった場合には袋が破損したり、また分離収納が解放されたりして、目的とする使用時には、既に混合冷却反応が終了しており、冷却具としての機能を発揮し得ない事態が生じていた。
【考案の概要】
【考案が解決しようとする課題】
【０００６】
したがって本考案は、かかる問題点を解決した、利便性に優れた冷却具を提供することを課題とする。
【課題を解決するための手段】
【０００７】
かかる課題を解決するための本考案は、以下の構成からなるものである。
（１）可撓性プラスチック容器内に、混合すると吸熱反応をする２種以上の物質を、破割しやすい隔膜により、それぞれ別個に分離収納してなり、用時に隔膜を破断することにより分離収納した物質が混合して混合吸熱反応を生じせしめるよう構成したことを特徴とする冷却具；
（２）可撓性プラスチック容器が円形の縦長形状である冷却具；
（３）可撓性プラスチック容器を用時にサークル形状に構成する冷却具；
（４）可撓性プラスチック容器がサイクルブレスレット形状である冷却具；
（５）可撓性プラスチック容器の留置部位に接する部分を、プラスチックより熱伝導性の高い素材に置き換えてなる冷却具；
（６）混合して吸熱反応する物質が、硝酸アンモニウムおよび水である冷却具；
（７）硝酸アンモニウムが、粉末状または粒状の硝酸アンモニウムである冷却具；
（８）水が、吸水性樹脂に水を吸水させてゲル化したゲル状物として存在するものである冷却具；
である。
【考案の効果】
【０００８】
本考案は、可撓性プラスチック容器内に、混合すると吸熱反応をする２種以上の物質を、破割しやすい隔膜により、それぞれ別個に分離収納したことにより、保存時、或いは運搬時においても冷却具自体が破損することなく、安全性に優れたものである。
また、可撓性プラスチック容器を用いたことから、その形状を任意に設計することができ、冷却すべき留置部位に容易に設置・固定することができる利点を有している。
さらに、可撓性プラスチック容器を部分的に金属などの異なった素材を用いて成形することも容易であり、冷却反応熱を有効に利用することが可能となる。
【図面の簡単な説明】
【０００９】
【図１】図１は、本考案の冷却具の一実施例に基づく概略斜視図である。
【図２】図２は、図１におけるＡ−Ａ線断面の模式図を示した図である。
【図３】図３は、本考案の別の実施例に基づく冷却具の概略斜視図である。
【図４】図４は、図３における実施例の使用形態を模式的に示した図である。
【図５】図５は、サイクルブレスレット形状の冷却具の概略斜視図である。
【図６】図６は、図５における冷却具の線断の模式図を示した図である。
【図７】図７は、本考案のさらに別の実施例に基づく冷却具の概略斜視図である。
【図８】図８は、図７におけるＢ−Ｂ線断面の模式図を示した図である。
【考案を実施するための形態】
【００１０】
上記したように、本考案の基本的態様は、可撓性プラスチック容器内に、混合すると吸熱反応をする２種以上の物質を、破割しやすい隔膜により、それぞれ別個に分離収納してなり、用時に隔膜を破断することにより分離収納した物質が混合して混合吸熱反応を生じせしめるよう構成したことを特徴とする冷却具である。
かかる考案の構成を、図面を参照しながら詳細に説明する。
【００１１】
図１は、本考案の冷却具の一実施例に基づく概略斜視図である。
図中、１は可撓性のプラスチック容器を示し、その容器内に、混合すると吸熱反応をする２種以上の物質、すなわち例えば、粒状の硝酸アンモニウム２、および水３を、破割しやすい隔膜４により、それぞれ別個に分離収納してなるものである。
【００１２】
図２に図１におけるＡ−Ａ線断面の模式図を示すが、縦長の筒状形状の可撓性のプラスチック容器１内に、粒状の硝酸アンモニウム２、及び水３を、破割しやすい隔膜４により、それぞれ別個に分離収納された構造を有している。
【００１３】
可撓性プラスチック容器１を構成する素材としては、例えば、ポリエチレン、ポリプロピレン等を挙げることができ、また破断し易い隔膜４を構成する素材としては、例えば、ガラス等を挙げることができる。
【００１４】
本考案の冷却具の使用にあたっては、可撓性プラスチック容器１を例えば屈曲することにより、内部の破断しやすい隔膜４が破断して、内部に収納された水３と硝酸アンモニウムが接触混合し、それらの接触反応より混合吸熱反応が生じ、プラスチック容器１全体を冷却し、冷却具として留置部位に固定し、その部位を冷却することとなる。
また、可撓性プラスチック容器１の留置部位に接する部分については、容器の厚さを調節することも可能である。留置部位に接する部分の容器の厚さを厚くすると、留置部位を緩やかに冷却でき、一方、その部分の容器の厚さを薄くすると留置部位を効率良く冷却することが可能となる。
【００１５】
図３に、本考案の別の実施例としての冷却具の概略斜視図を示したが、本実施例による冷却具は、円形の縦長形状の可撓性プラスチック容器からなり、その容器内に、粒状の硝酸アンモニウム２、および水３を、破割しやすい隔膜４により、それぞれ別個に分離収納された構造を有している点で、図１の実施例の冷却具と同様の構成である。
【００１６】
図３に示した冷却具にあっては、例えば、容器の一端に他の端部を装入し、可撓性プラスチック容器１を、例えば、図４に示したようにサークル状に構成したものとし、例えば手首、足首にかけることにより留置部位周辺の冷却を図ることができる。また、各容器を複数個接続し、留置部位に合わせてサークルの大きさを調節することも可能である。
【００１７】
また、図５に例えばサイクルブレスレット形状の可撓性プラスチック容器で構成した別の形状に基づく冷却具１の概略斜視図を示したが、その容器内部においては図６に示したように、その容器内に、粒状の硝酸アンモニウム２、および水３を、破割しやすい隔膜４により、それぞれ別個に分離収納された構造を有している点で、図１の実施例の冷却具と同様の構成である。
【００１８】
図７は本考案の冷却具のさらに別の一実施例に基づく概略斜視図である。
本実施例における容器の形状は、底部６が金属素材の平面を有し、上部５がプラスチック素材の楕円曲状の面を有する、断面形状が砲台形状の容器となっている。その容器内に、粒状の硝酸アンモニウム２、および水３を、破割しやすい隔膜４により、それぞれ別個に分離収納された構造を有している点で、図１の実施例の冷却具と同様の構成である。
【００１９】
図８は図７に示す冷却具のＢ−Ｂ線断面の模式図である。図７に示した冷却具にあっては、底部６が平面形状を有し、上部５が楕円曲状の面を有する容器となっており、底部６の素材をプラスチックより熱伝導性の高い、金属素材に置き換えたことを特徴とするものである。プラスチックより熱伝導性の高い素材に置き換えることにより、金属が示す高い熱伝導性に起因する効率的な冷却作用を期待することが可能となる。プラスチックより熱伝導性の高い素材としては金属素材に限られず、陶器等が例示できる。
一方、プラスチック容器１の底部６をプラスチックより熱伝導性の低い素材に置き換えることも可能である。プラスチックより熱伝導性の低い素材に置き換えた場合には、留置部位に対し、緩やかな冷却作用が期待できる。プラスチックより熱伝導性の低い素材として具体的にはシリコン、またはゴムが挙げられる。
【００２０】
上記で説明した本考案の冷却具における寒剤として接触混合することにより吸熱反応を生じる物質として硝酸アンモニウムおよび水を例示して説明したが、寒剤はこれらに限定されるものではなく、接触混合することにより吸熱反応を生じる物質として従来公知のもの、或いはその混合物を使用することも可能である。
また、例示した硝酸アンモニウムとしては粉末状、粒状等の形状であってもよく、接触混合反応する水としては、例えば、吸水性樹脂に水を吸水させてゲル化したゲル状物として存在するものであってもよい。
【００２１】
この水をゲル化した状態で収容させる場合には、硝酸アンモニウムと水との反応が順次円滑に進み、水そのものを袋に入れたものに比べて、冷却持続時間が長時間に及ぶという利点がある。
【００２２】
さらに寒剤の混合状態を可視化するため予め色素で着色した水を使用してもよい。これにより隔膜４が正常に破割し、硝酸アンモニウムと水が容器全体で偏りなく混合していることが確認できる。
【００２３】
なお本考案は、可撓性のプラスチック容器の耐熱性、および火傷防止等の安全性を講じた上で、反応すると発熱反応を生じる物質に置き換えれば、発熱具としても使用することも可能である。
【産業上の利用可能性】
【００２４】
以上のとおり、本考案は、持ち運びに便利であって、使用時に冷却感のある冷却状態を維持し、冷却効果を発揮する、従来製品に比較して安全性に優れた冷却具を提供する点で、産業上の利用性は多大なものである。
【符号の説明】
【００２５】
１    可撓性プラスチック容器
２    硝酸アンモニウム（粒状）
３    水
４    隔膜
５    容器上部
６    容器底部
【図１】
0003220581.tif 000003
【図２】
0003220581.tif 000004
【図３】
0003220581.tif 000005
【図４】
0003220581.tif 000006
【図５】
0003220581.tif 000007
【図６】
0003220581.tif 000008
【図７】
0003220581.tif 000009
【図８】
0003220581.tif 000010
【手続補正書】
【提出日】平成31年1月18日(2019.1.18)
【手続補正１】
【補正対象書類名】実用新案登録請求の範囲
【補正対象項目名】全文
【補正方法】変更
【補正の内容】
【実用新案登録請求の範囲】
【請求項１】
可撓性プラスチック容器内に、混合すると吸熱反応をする２種以上の物質を、破割しやすい隔膜により、それぞれ別個に分離収納してなり、用時に隔膜を破断することにより分離収納した物質が混合して混合吸熱反応を生じせしめるよう構成したことを特徴とする冷却具。
【請求項２】
前記可撓性プラスチック容器が、円形の縦長形状である請求項１に記載の冷却具。
【請求項３】
前記可撓性プラスチック容器を、用時にサークル形状に構成する請求項２に記載の冷却具。
【請求項４】
前記可撓性プラスチック容器が、サイクルブレスレット形状である請求項１に記載の冷却具。
【請求項５】
前記可撓性プラスチック容器の留置部位に接する部分を、プラスチックより熱伝導性の高い素材に置き換えてなる請求項１に記載の冷却具。
【請求項６】
混合して吸熱反応する物質が、硝酸アンモニウムおよび水を含む請求項１〜５のいずれか一項に記載の冷却具。
【請求項７】
硝酸アンモニウムが、粉末状または粒状の硝酸アンモニウムである請求項６に記載の冷却具。
【請求項８】
水が、吸水性樹脂に水を吸水させてゲル化したゲル状物として存在するものである請求項６に記載の冷却具。